(57)【要約】【課題】計画期間において、運用者の要求を満たし、かつ、適切な電力系統の運用が可能な系統構成を実現するための設備管理計画を生成する。【解決手段】系統構成を管理する計算機システムであって、計算機システムが備える計算機は、現在の系統構成の情報及び計画期間における設備の変更指針を示す変更計画情報に基づいて、既存設備の代替設備及び変更時期を決定し、代替設備及び変更時期の組を含む系統母構成情報を生成し、系統母構成情報に基づいて、計画期間の任意の時点の新規系統構成を生成することによって系統構成パターンを生成し、系統構成パターンに含まれる系統構成が運用可能な系統構成であるか否かを判定する。【選択図】図１
2019154113.tif 000002
【特許請求の範囲】
【請求項１】
複数の設備から構成される電力系統の系統構成を管理する計算機システムであって、
演算装置及び前記演算装置に接続される記憶装置を有する少なくとも一つの計算機を備え、
前記少なくとも一つの計算機は、
計画期間における前記系統構成の推移を示す系統構成パターンを生成するための系統母構成情報を生成する系統母構成生成部と、
前記系統母構成情報に基づいて、前記系統構成パターンを生成する系統構成生成部と、
前記電力系統の発電量及び負荷量の予測値に基づいて、前記系統構成パターンに含まれる前記系統構成が運用可能な系統構成であるか否かを判定する判定部と、を有し、
前記系統母構成生成部は、
現在の系統構成の管理情報及び前記計画期間における設備の運用指針を示す変更計画情報に基づいて、前記現在の系統構成に含まれる既存設備の代替となる代替設備及び前記代替設備への変更時期を決定し、
前記既存設備及び前記既存設備の変更時期の組、並びに、前記代替設備及び前記代替設備の変更時期の組を含む前記系統母構成情報を生成し、
前記系統構成生成部は、
前記系統母構成情報に基づいて、前記計画期間の任意の時点の新規系統構成を生成することによって、前記系統構成パターンを生成し、
前記判定部は、運用可能な系統構成のみを含む前記系統構成パターンを、系統設備管理計画として提示する出力系統構成パターンとして特定することを特徴とする計算機システム。
【請求項２】
請求項１に記載の計算機システムであって、
前記系統構成生成部は、前記系統構成の設備の更新、増設、統合、及び廃止の少なくともいずれかを行うことによって前記新規系統構成を生成することを特徴とする計算機システム。
【請求項３】
請求項２に記載の計算機システムであって、
前記少なくとも一つの計算機は、前記運用可能な系統構成のみを含む系統構成パターンに含まれる前記系統構成に対して最適潮流計算を実行する計算部を有し、
前記計算部は、前記運用可能な系統構成のみを含む系統構成パターンに含まれる全ての系統構成に対する前記最適潮流計算が正常に終了した場合、当該系統構成パターンを前記出力系統構成パターンとして特定することを特徴とする計算機システム。
【請求項４】
請求項３に記載の計算機システムであって、
前記少なくとも一つの計算機は、前記出力系統構成パターンを評価する評価部を有し、
前記評価部は、処理の結果に基づいて、前記出力系統構成パターンの推奨順番を決定することを特徴とする計算機システム。
【請求項５】
請求項４に記載の計算機システムであって、
前記評価部は、前記現在の系統構成から前記出力系統構成パターンに含まれる系統構成に変更する場合に要するコストを算出する処理、又は前記出力系統構成パターンに含まれる系統構成における設備操作に関する評価を行う処理の少なくともいずれかを実行することを特徴とする計算機システム。
【請求項６】
複数の設備から構成される電力系統の系統構成を管理する計算機システムにおける系統構成の管理方法であって、
演算装置及び前記演算装置に接続される記憶装置を有する少なくとも一つの計算機を備え、
前記電力系統の系統構成の管理方法は、
前記演算装置が、現在の系統構成の情報及び計画期間における設備の運用指針を示す変更計画情報に基づいて、前記現在の系統構成に含まれる既存設備の代替となる代替設備及び前記代替設備への変更時期を決定する第１のステップと、
前記演算装置が、前記既存設備及び前記既存設備の変更時期の組、並びに、前記代替設備及び前記代替設備の変更時期の組を含む系統母構成情報を生成する第２のステップと、
前記演算装置が、前記系統母構成情報に基づいて、前記計画期間の任意の時点の新規系統構成を生成することによって、前記系統構成の推移を示す系統構成パターンを生成する第３のステップと、
前記演算装置が、前記電力系統の発電量及び負荷量の予測値に基づいて、前記系統構成パターンに含まれる前記系統構成が運用可能な系統構成であるか否かを判定する第４のステップと、
前記演算装置が、運用可能な系統構成のみを含む前記系統構成パターンを、系統設備管理計画として提示する出力系統構成パターンとして特定する第５のステップと、を含むことを特徴とする系統構成の管理方法。
【請求項７】
請求項６に記載の系統構成の管理方法であって、
前記第３のステップは、前記演算装置が、前記電力系統の系統構成の設備の更新、増設、統合、及び廃止のいずれかを行うことによって前記新規系統構成を生成するステップを含むことを特徴とする系統構成の管理方法。
【請求項８】
請求項７に記載の系統構成の管理方法であって、
前記第５のステップは、
前記演算装置が、前記運用可能な系統構成のみを含む系統構成パターンに含まれる前記系統構成に対して最適潮流計算を実行するステップと、
前記演算装置が、前記運用可能な系統構成のみを含む系統構成パターンに含まれる全ての系統構成に対する前記最適潮流計算が正常に終了した場合、当該系統構成パターンを前記出力系統構成パターンとして特定するステップと、を含むことを特徴とする系統構成の管理方法。
【請求項９】
請求項８に記載の系統構成の管理方法であって、
前記演算装置が、前記出力系統構成パターンを評価する第６のステップと、
前記演算装置が、評価の結果に基づいて、前記出力系統構成パターンの推奨順番を決定する第７のステップと、を含むことを特徴とする系統構成の管理方法。
【請求項１０】
請求項９に記載の系統構成の管理方法であって、
前記第６のステップは、前記演算装置が、前記現在の系統構成から前記出力系統構成パターンに含まれる系統構成に変更する場合に要するコストを算出する処理、又は前記出力系統構成パターンに含まれる系統構成における設備操作に関する評価を行う処理の少なくともいずれかを実行するステップを含むことを特徴とする系統構成の管理方法。
【発明の詳細な説明】
【技術分野】
【０００１】
本発明は、電力系統の系統構成を管理するための技術に関する。
【背景技術】
【０００２】
電力系統は、発電所、変電所、送電設備、及び配電設備等から構成される、需要家の受電設備に電力を供給するためのシステムである。
【０００３】
設備は、経済成長に伴う電力需要の拡大にあわせて、安定した電力の供給を主目的として、構築及び増強が行われている。
【０００４】
近年、過去に構築された変電所及び送配電設備の経年劣化が進み、設備の更新及び廃止等のアセット管理を行う必要が生じている。
【０００５】
設備の更新、増設、統合及び廃止等、系統構成の変更を検討する場合、将来の発電計画及び負荷予測等を考慮して、効率的な設備管理計画を生成する必要がある。
【０００６】
例えば、特許文献１では、「廃止対象候補となる電力設備を所定時期に廃止した場合における潮流計算を実行する潮流計算部と、その場合に対象地域で送電混雑が発生するか否かを判定する送電混雑判定部と、判定の結果、送電混雑が発生しない場合に、当該設備と当該所定時期をそれぞれ廃止対象設備および仮廃止時期とする廃止計画候補情報を作成する廃止計画作成部と、廃止計画候補情報と保守計画情報とに基づき、廃止時期と、保守時期とを決定する計画調整部と、を備える」計画支援装置及び方法について記載されている。
【先行技術文献】
【特許文献】
【０００７】
【特許文献１】特開２０１６−１３９２８０号公報
【発明の概要】
【発明が解決しようとする課題】
【０００８】
特許文献１に記載の技術は、設備の廃止に着目して保守時期及び廃止時期を調整して、廃止計画候補情報を作成するための技術である。したがって、特許文献１に記載の技術を用いても、電力系統の運用者の要求に合わせて、設備の廃止だけではなく、電力系統の構成の更新、増設、及び統合等を実現するための設備管理計画を生成できない。
【０００９】
本発明は将来の発電計画及び負荷の予測に基づいて、運用者の要求を満たし、かつ、適切な電力系統の運用が可能な系統構成を実現するための設備管理計画を生成するシステム及び方法を提供することを目的とする。
【課題を解決するための手段】
【００１０】
本願において開示される発明の代表的な一例を示せば以下の通りである。すなわち、複数の設備から構成される電力系統の系統構成を管理する計算機システムであって、演算装置及び前記演算装置に接続される記憶装置を有する少なくとも一つの計算機を備え、前記少なくとも一つの計算機は、計画期間における前記系統構成の推移を示す系統構成パターンを生成するための系統母構成情報を生成する系統母構成生成部と、前記系統母構成情報に基づいて、前記系統構成パターンを生成する系統構成生成部と、前記電力系統の発電量及び負荷量の予測値に基づいて、前記系統構成パターンに含まれる前記系統構成が運用可能な系統構成であるか否かを判定する判定部と、を有し、前記系統母構成生成部は、現在の系統構成の管理情報及び前記計画期間における設備の運用指針を示す変更計画情報に基づいて、前記現在の系統構成に含まれる既存設備の代替となる代替設備及び前記代替設備への変更時期を決定し、前記既存設備及び前記既存設備の変更時期の組、並びに、前記代替設備及び前記代替設備の変更時期の組を含む前記系統母構成情報を生成し、前記系統構成生成部は、前記系統母構成情報に基づいて、前記計画期間の任意の時点の新規系統構成を生成することによって、前記系統構成パターンを生成し、前記判定部は、運用可能な系統構成のみを含む前記系統構成パターンを、系統設備管理計画として提示する出力系統構成パターンとして特定する。
【発明の効果】
【００１１】
本発明の一形態によれば、運用者の要求を満たし、かつ、適切な電力系統の運用が可能な系統構成を実現するための系統構成パターンを設備管理計画として生成できる。上記した以外の課題、構成及び効果は、以下の実施例の説明により明らかにされる。
【図面の簡単な説明】
【００１２】
【図１】実施例１の系統設備管理計画システムの構成例を示す図である。
【図２】実施例１の系統構成の一例を示す図である。
【図３】実施例１の系統母構成情報のデータ構造の一例を示す図である。
【図４】実施例１の系統母構成情報の概念を示す図である。
【図５】実施例１の系統構成推移情報のデータ構造の一例を示す図である。
【図６】実施例１の運用予測情報のデータ構造の一例を示す図である。
【図７】実施例１の設備操作情報のデータ構造の一例を示す図である。
【図８】実施例１の系統設備管理計画装置１が実行する事前評価処理の一例を説明するフローチャートである。
【図９】実施例１の系統母構成生成部が実行する処理の一例を説明するフローチャートである。
【図１０】実施例１の系統構成生成部が実行する処理の一例を説明するフローチャートである。
【図１１Ａ】実施例１の系統設備管理計画装置１が実行する設備管理計画生成処理の一例を説明するフローチャートある。
【図１１Ｂ】実施例１の系統設備管理計画装置１が実行する設備管理計画生成処理の一例を説明するフローチャートある。
【図１２】実施例１の系統設備管理計画装置１によって表示される画面の一例を示す図である。
【発明を実施するための形態】
【００１３】
以下、本発明に係る実施例を添付図面を用いて説明する。各図において共通の構成については同一の参照符号が付されている。
【実施例１】
【００１４】
図１は、実施例１の系統設備管理計画システムの構成例を示す図である。
【００１５】
系統設備管理計画システムは、系統設備管理計画装置１、設備情報管理装置３、及び経営資源情報管理装置４から構成される。各装置は、通信ネットワーク２を介して互いに接続される。
【００１６】
系統設備管理計画装置１は、演算装置１０、記憶装置２０、通信装置３０、入力装置４０、表示装置５０を含む。
【００１７】
演算装置１０は、記憶装置２０に記憶されたプログラムを実行する。演算装置１０がプログラムにしたがって処理を実行することによって特定の機能を実現する機能部として動作する。以下の説明では、機能部を主語に処理を説明する場合、演算装置１０が当該機能部を実現するプログラムを実行していることを示す。
【００１８】
記憶装置２０は、メモリ等であり、演算装置１０が実行するプログラム及びプログラムが使用する情報を格納する。また、記憶装置２０は、プログラムが一時的に使用するワークエリアを含む。
【００１９】
通信装置３０は、通信ネットワーク２を介して他の装置と接続するための通信機能を有する。
【００２０】
入力装置４０は、例えば、キーボード、マウス等のポインティングデバイス、タッチパネル、及び音声指示装置等の装置である。表示装置５０は、例えば、ディスプレイ装置、プリンタ、及び音声出力装置等の装置である。
【００２１】
実施例１では、系統設備管理計画装置１は、単一の計算機として実現しているが、通信ネットワーク２を介して接続された複数の計算機を用いて実現してもよい。
【００２２】
設備情報管理装置３は、電力系統を構成する設備の耐用操作回数、操作実行回数、耐用年数、導入時期等の設備寿命、及びスペックに関する情報を含む設備情報を管理する。設備情報管理装置３は、例えば、ＥＡＭ（Ｅｎｔｅｒｐｒｉｓｅ  Ａｓｓｅｔ  Ｍａｎａｇｅｍｅｎｔ）システムである。
【００２３】
経営資源情報管理装置４は、電力系統を構成する設備の導入機器及び更新機器の在庫状況及び調達が可能な時期等の機器の調達に関する情報、並びに、設備の修繕及び設置等の作業に必要な部品及び人員の確保状況及び確保可能時期等の設備の作業手配に関する情報を含む経営資源情報を管理する。経営資源情報管理装置４は、例えば、ＥＲＰ（Ｅｎｔｅｒｐｒｉｓｅ  Ｒｅｓｏｕｒｃｅ  Ｐｌａｎｎｉｎｇ）システムである。
【００２４】
ここで、系統設備管理計画装置１が有する機能部及び情報について説明する。
【００２５】
実施例１の記憶装置２０は、系統構成情報１１１、系統母構成情報１１２、系統構成推移情報１１３、運用予測情報１１４、及び設備操作情報１１５を含む。
【００２６】
系統構成情報１１１は、現在の電力系統の構成を管理するための情報である。系統構成情報１１１は、現在の電力系統、例えば、送電系統を構成する設備、設備のスペック、設備間の接続関係等の情報を含む。
【００２７】
系統母構成情報１１２は、現在の系統構成を基準として生成された系統母構成を管理するための情報である。ここで、系統母構成は、計画期間において、設備単位の系統構成の変更を行う場合に、電力系統に含めることができる設備の集合である。より具体的には、系統母構成は、設備の情報、設備の変更時期、及び系統構成内において排他的な設備の組合せの情報を一要素とする集合である。系統母構成情報１１２のデータ構造は図３を用いて説明する。なお、計画期間は、設備管理計画を生成する期間であり、例えば、１０年に設定される。
【００２８】
系統構成推移情報１１３は、系統母構成情報１１２に基づいて生成された、計画期間の始点（現在）から終点まで系統構成の推移を管理するための情報である。系統構成推移情報１１３には、計画期間内の日時及び系統構成の情報の組が時系列順に連結された情報を含む。系統構成推移情報１１３のデータ構造は図５を用いて説明する。
【００２９】
以下の説明では、日時及び系統構成の情報の組が時系列順に連結された情報を系統構成パターンと記載する。
【００３０】
運用予測情報１１４は、系統構成に含まれる発電機の発電計画値である発電量及び系統構成における負荷の予測値である負荷量等の電力系統の運用予測を管理するための情報である。運用予測情報１１４のデータ構造は図６を用いて説明する。
【００３１】
設備操作情報１１５は、最適潮流計算部１０５によって算出された設備の操作に関する情報である。設備操作情報１１５のデータ構造は図７を用いて説明する。
【００３２】
実施例１の演算装置１０は、情報取得部１０１、系統母構成生成部１０２、系統構成生成部１０３、系統構成判定部１０４、最適潮流計算部１０５、系統構成差分抽出部１０６、及び評価部１０７として機能する。記憶装置２０には、前述の各機能部を実現するプログラムが格納される。
【００３３】
情報取得部１０１は、通信ネットワーク２を介して、設備情報管理装置３から設備情報を取得し、また、経営資源情報管理装置４から経営資源情報を取得する。情報取得部１０１は、運用者が入力装置４０を用いて入力した、運用者が決定した電力系統の運用方針を示す変更計画情報を取得する。変更計画情報には、電力系統を構成する設備の変更時期等が含まれる。さらに、情報取得部１０１は、運用予測情報１１４から、系統構成生成部１０３によって生成された系統構成に含まれる発電機の発電量及び負荷の負荷量を取得する。
【００３４】
系統母構成生成部１０２は、情報取得部１０１によって取得された設備情報、経営資源情報、及び変更計画情報に基づいて、現在の系統構成を基準とする系統母構成を生成する。系統母構成生成部１０２は、生成された系統母構成の情報を系統母構成情報１１２として記憶装置２０に格納する。
【００３５】
系統構成生成部１０３は、系統母構成情報１１２に基づいて系統構成パターンを生成し、生成された系統構成パターンの情報を系統構成推移情報１１３として記憶装置２０に格納する。
【００３６】
系統構成判定部１０４は、系統構成パターンに含まれる系統構成が運用可能な系統構成であるか否かを判定する。より具体的には、系統構成判定部１０４は、系統構成パターンに含まれる系統構成に対し、情報取得部１０１が取得した発電量及び負荷量を設定し、選択された系統構成が判定基準を満たしているかを判定する。例えば、発電所から需要家まで送電ができるか否か、電力供給における系統安定度の観点から問題がないか否か、系統構成の特定の範囲において単一の設備故障等によって供給支障が生じるか否か、等が判定される。系統構成判定部１０４は系統構成推移情報１１３に判定結果を格納する。
【００３７】
最適潮流計算部１０５は、系統構成パターンに含まれる系統構成に対して最適潮流計算を実行する。より具体的には、最適潮流計算部１０５は、系統構成パターンに含まれる系統構成に対して情報取得部１０１が取得した発電量及び負荷量を設定し、系統構成の母線電圧、発電機出力、送電容量等の制約の下で送電損失等の目的関数を最小にする演算処理を実行する。また、最適潮流計算部１０５は、演算が正常に完了したか否かを示す情報を系統構成推移情報１１３に格納し、演算によって算出された系統構成における変圧器のタップ位置及び調相設備の投入量等、設備の操作（パラメータ制御）に関する情報を、設備操作情報１１５に格納する。
【００３８】
系統構成差分抽出部１０６は、現在の系統構成と、系統構成パターンに含まれる系統構成との間の設備単位の差分を抽出する。なお、最適潮流計算部１０５によって計画期間にわたって問題が生じなかった系統構成が比較対象となる。
【００３９】
評価部１０７は、設備操作情報１１５に格納される設備の操作に関する情報を取得し、系統構成パターンの設備操作に関する評価を行う。また、評価部１０７は、系統構成差分抽出部１０６によって抽出された設備単位の差分に基づいて、系統構成パターン毎の設備単位での更新、増設、統合、及び廃止等、系統構成の変更に伴って生じるコストを算出する。また、評価部１０７は、評価結果及びスコアに基づいて選択された系統構成パターンを設備管理計画として表示装置５０に表示する。
【００４０】
系統構成パターンの設備操作に関する評価は、設備の寿命等を評価するパラメータを用いて行われる。例えば、累積の送電損失量、系統構成内の各変圧器のタップの累積切替え回数、系統構成内の調相設備の累積切替え回数、又は重み付け含むそれらの組合せ等に基づいて行われる。
【００４１】
図２は、実施例１の系統構成の一例を示す図である。
【００４２】
実施例１の系統構成情報１１１には、図２に示すような送電系統の構成に関する情報が格納される。具体的には、設備の種別、設備のスペック、設備間の接続関係等の情報が系統構成情報１１１に含まれる。
【００４３】
図２に示す送電系統は、発電機Ｇ、変圧器Ｔｒ１、Ｔｒ２、Ｔｒ３、調相設備ＳＣ１、及び負荷Ｌから構成される。なお、系統構成情報１１１は、運用者等によって定義された情報である。
【００４４】
図３は、実施例１の系統母構成情報１１２のデータ構造の一例を示す図である。図４は、実施例１の系統母構成情報１１２の概念を示す図である。
【００４５】
系統母構成情報１１２は、識別番号３０１、設備ＩＤ３０２、変更時期３０３、及び排他関係３０４から構成されるエントリを含む。一つのエントリは一つの設備に対応する。
【００４６】
識別番号３０１は、系統母構成情報１１２内のエントリを一意に識別するための番号を格納するフィールドである。
【００４７】
設備ＩＤ３０２は、設備を識別するための識別情報を格納するフィールドである。設備ＩＤ３０２には、設備の種別が区別できるような識別情報が格納される。例えば、「Ｔｒ」は変圧器の識別情報を表し、「ＳＣ」は調相設備の識別情報を表す。
【００４８】
変更時期３０３は、設備の変更時期を示す値を格納するフィールドである。変更時期３０３に日時のみが格納される場合、当該値は設備の使用停止日を示す。変更時期３０３に等号又は不等号及び日時が格納される場合、当該値は設備の使用停止日又は使用開始日のいずれかを示す。
【００４９】
排他関係３０４は、系統構成に含める設備の排他的な組合せを格納するフィールドである。排他関係３０４には、識別番号３０１の値が設定される。
【００５０】
なお、図３に示す系統母構成情報１１２は、図４に示すような図として表すことができる。
【００５１】
図５は、実施例１の系統構成推移情報１１３のデータ構造の一例を示す図である。
【００５２】
系統構成推移情報１１３は、行列形式のデータであり、列は系統構成パターンの識別情報に対応し、行は計画期間の任意の日時、判定結果、及び演算結果に対応する。
【００５３】
一つの列の内、点線で囲った部分が一つの系統構成パターンを表す。図５に示す系統構成パターンは、現在、「２０２０年６月２８日」、「２０２５年１０月１日」、「２０２８年１０月１日」の日時の系統構成を連結した情報である。
【００５４】
各系統構成パターンに対応する列には、判定結果及び演算結果を格納する行が存在する。判定結果の行には、判定基準を満たすか否かを示す値が格納される。演算結果の行には、最適潮流計算の演算が正常に完了したか否かを示す値が格納される。
【００５５】
後述するように、判定基準を満たさない系統構成パターンに対しては最適潮流計算が実行されないため、当該系統構成パターンに対応する列の演算結果の行は空欄となる。
【００５６】
図６は、実施例１の運用予測情報１１４のデータ構造の一例を示す図である。
【００５７】
運用予測情報１１４は、日時６０１、発電量６０２、及び負荷量６０３から構成されるエントリを含む。実施例１では、発電機及び負荷が一つである電力系統であるため、一つのエントリには発電量６０２及び負荷量６０３が一つずつ含まれる。発電量６０２及び負荷量６０３は、電力系統に含まれる発電機及び負荷の数に応じて適宜増減できる。
【００５８】
日時６０１は、計画期間内の任意の日時を格納するフィールドである。発電量６０２は、発電計画に基づく発電量を格納するフィールドである。負荷量６０３は、負荷量を格納するフィールドである。発電計画及び負荷予測は、運用者等によって与えられる値である。
【００５９】
なお、系統構成を生成する日時の幅、並びに、発電量及び負荷量を設定する日時の幅は、同一でもよいし、異なっていてもよい。
【００６０】
図７は、実施例１の設備操作情報１１５のデータ構造の一例を示す図である。
【００６１】
設備操作情報１１５は、日時７０１及び操作項目７０２から構成されるエントリを含む。一つのエントリが任意の日時の設備の操作方法群に対応する。
【００６２】
日時７０１は、計画期間内の日時を格納するフィールドである。操作項目７０２は、各設備の操作内容を格納するフィールドである。操作項目７０２には、調相設備の投入量及び変圧器のタップ位置等を設定する項目が含まれる。
【００６３】
なお、操作項目７０２には、系統構成情報１１１に含まれる同一種別の設備の数だけ列が含まれる。
【００６４】
図８は、実施例１の系統設備管理計画装置１が実行する事前評価処理の一例を説明するフローチャートである。事前評価処理では、発電量及び負荷量を考慮した、計画期間における設備管理計画が生成される。
【００６５】
情報取得部１０１は、通信装置３０を介して、設備情報管理装置３から設備情報を取得し、経営資源情報管理装置４から経営資源情報を取得する（ステップＳ１０１）。
【００６６】
次に、情報取得部１０１は、入力装置４０を用いて入力された、運用者の意図した運用方針に基づく設備単位の系統構成の変更計画情報を取得する（ステップＳ１０２）。変更計画情報には、例えば、系統構成の変更前後で設備の数の増加を禁止する情報を含めることができる。当該情報を含む変更方針の場合、設備及び代替設備が系統構成に含まれること、複数の代替設備が系統構成に含まれること等が禁止される。
【００６７】
次に、系統母構成生成部１０２は、設備情報、経営資源情報、及び変更計画情報、並びに、系統構成情報１１１に基づいて、系統母構成を生成し、系統母構成情報１１２として記憶装置２０に保存する（ステップＳ１０３）。系統母構成の生成方法については図９を用いて説明する。
【００６８】
次に、系統構成生成部１０３は、系統構成情報１１１及び系統母構成情報１１２に基づいて、計画期間における系統構成パターンを生成する（ステップＳ１０４）。系統構成パターンの生成方法については図１０を用いて説明する。
【００６９】
次に、系統構成生成部１０３は、系統構成推移情報１１３に登録された系統構成パターンの中からターゲット系統構成パターンを選択する（ステップＳ１０５）。
【００７０】
次に、系統構成判定部１０４は、情報取得部１０１によって運用予測情報１１４から取得された発電量及び負荷量に基づいて、ターゲット系統構成パターンに含まれる各系統構成に対して判定処理を実行する（ステップＳ１０６）。
【００７１】
系統構成の判定処理では、系統構成判定部１０４は、系統構成に発電量及び負荷量を設定し、当該系統構成が基準を満たしているかを判定する。なお、系統構成の判定処理は公知の技術を用いればよいため詳細な説明を省略する。なお、系統構成判定部１０４は、基準を満たさない系統構成が検出された場合、処理が実行されていない系統構成に対して判定処理を実行しなくてもよい。
【００７２】
ターゲット系統構成パターンに含まれる全ての系統構成が判定基準を満たす場合、系統構成判定部１０４は、系統構成推移情報１１３のターゲット系統構成パターンに対応する列の判定結果の行に「ｔｒｕｅ」を設定する。ターゲット系統構成パターンに含まれる少なくとも一つの系統構成が判定基準を満たさない場合、系統構成判定部１０４は、系統構成推移情報１１３のターゲット系統構成パターンに対応する列の判定結果の行に「ｆａｕｌｔ」を設定する。
【００７３】
次に、系統構成判定部１０４は、全ての系統構成パターンの処理が完了したか否かを判定する（ステップＳ１０７）。
【００７４】
全ての系統構成パターンの処理が完了していないと判定された場合、系統構成判定部１０４は、ステップＳ１０５に戻る。
【００７５】
全ての系統構成パターンの処理が完了したと判定された場合、系統構成判定部１０４は、事前評価処理を終了する。
【００７６】
図９は、実施例１の系統母構成生成部１０２が実行する処理の一例を説明するフローチャートである。
【００７７】
系統母構成生成部１０２は、系統構成情報１１１を参照し、現在の系統構成に含まれる設備であって、変更が可能な設備の中からターゲット設備を選択する（ステップＳ２０１）。変更が可能な設備を示す情報は、例えば、変更計画情報に含まれる。また、系統構成情報１１１に予め変更が可能な設備を示す情報を追加してもよい。
【００７８】
このとき、系統母構成生成部１０２は、空の系統母構成情報１１２を生成する。系統母構成生成部１０２は、系統母構成情報１１２にエントリを追加し、追加されたエントリの識別番号３０１に値を設定する。また、系統母構成生成部１０２は、追加されたエントリの設備ＩＤ３０２及び変更時期３０３に、ターゲット設備の情報を設定する。追加されたエントリの変更時期３０３には、設備情報及び変更計画情報に基づいて決定された変更時期が設定される。
【００７９】
次に、系統母構成生成部１０２は、設備情報に基づいて、ターゲット設備の代替設備を決定する（ステップＳ２０２）。
【００８０】
具体的には、系統母構成生成部１０２は、ターゲット設備と同種の設備であって、ターゲット設備のスペックと同等のスペックである設備及びターゲット設備のスペックと異なるスペックである設備を代替設備として決定する。このとき、系統母構成生成部１０２は、系統母構成情報１１２に代替設備の数だけエントリを追加し、追加されたエントリの識別番号３０１に値を設定する。系統母構成生成部１０２は、追加されたエントリの設備ＩＤ３０２に代替設備の識別情報を設定する。
【００８１】
次に、系統母構成生成部１０２は、ターゲット代替設備を選択する（ステップＳ２０３）。
【００８２】
次に、系統母構成生成部１０２は、設備情報、経営資源情報、及び変更計画情報に基づいて、ターゲット代替設備の変更時期を決定する（ステップＳ２０４）。具体的には以下のような処理が実行される。
【００８３】
変更計画情報にターゲット設備の変更予定時期が含まれる場合、系統母構成生成部１０２は、変更予定時期、調達が可能な時期、及び人員確保時期の中から変更が可能になる時期をターゲット代替設備の変更時期に決定する。変更計画情報にターゲット設備の変更予定時期が含まれない場合、系統母構成生成部１０２は、ターゲット設備の寿命、調達が可能な時期、及び人員確保時期の中から変更が可能になる時期をターゲット代替設備の変更時期に決定する。
【００８４】
系統母構成生成部１０２は、ターゲット代替設備に対応するエントリの変更時期３０３に決定された変更時期を設定する。
【００８５】
なお、系統構成を変更する場合に、ターゲット設備及びターゲット代替設備を一時的に併存させる必要がある場合、ターゲット設備の寿命又は変更時期と、ターゲット代替設備の変更時期とがオーバーラップするように変更時期が決定される。以上がステップＳ２０４の処理の説明である。
【００８６】
次に、系統母構成生成部１０２は、全ての代替設備について処理が完了したか否かを判定する（ステップＳ２０５）。
【００８７】
全ての代替設備について処理が完了していないと判定された場合、系統母構成生成部１０２は、ステップＳ２０３に戻る。
【００８８】
全ての代替設備について処理が完了したと判定された場合、系統母構成生成部１０２は、ターゲット設備に排他属性が設定されているか否かを判定する（ステップＳ２０６）。
【００８９】
ここで、排他属性は、変更後の系統構成にターゲット設備及び代替設備が併存すること、及び変更後の系統構成に複数の代替設備が併存することを禁止する属性である。排他属性を示す情報は、例えば、変更計画情報に含まれる。
【００９０】
ターゲット設備に排他属性が設定されていないと判定された場合、系統母構成生成部１０２は、ステップＳ２０８に進む。
【００９１】
ターゲット設備に排他属性が設定されていると判定された場合、系統母構成生成部１０２は、代替設備に排他関係を設定する（ステップＳ２０７）。その後、系統母構成生成部１０２は、ステップＳ２０８に進む。
【００９２】
具体的には、系統母構成生成部１０２は、代替設備に対応するエントリに、ターゲット設備及び他の代替設備に対応するエントリの識別番号３０１を設定する。
【００９３】
ステップＳ２０８では、系統母構成生成部１０２は、変更可能な全ての設備の処理が完了したか否かを判定する（ステップＳ２０８）。
【００９４】
変更可能な全ての設備の処理が完了していないと判定された場合、系統母構成生成部１０２は、ステップＳ２０１に戻る。
【００９５】
変更可能な全ての設備の処理が完了したと判定された場合、系統母構成生成部１０２は、処理を終了する。
【００９６】
図１０は、実施例１の系統構成生成部１０３が実行する処理の一例を説明するフローチャートである。ここでは、現在から計画期間の終点までを時間間隔Ｔで区切り、時間間隔Ｔ毎の系統構成が生成されるものとする。
【００９７】
系統構成生成部１０３は、系統構成推移情報１１３及び日時を示す変数ｔを初期化する（ステップＳ３０１）。
【００９８】
具体的には、系統構成生成部１０３は、日時ｔに現在の日時（計画期間の始点）を設定する。また、系統構成生成部１０３は、系統構成推移情報１１３に、現在から計画期間までの各日時に対応する行を含む列を一つ追加する。系統構成生成部１０３は、追加された列の現在の日時に対応する列の現在の行に、現在の系統構成を設定する。
【００９９】
なお、計画期間において生成する日時を決定する方法としては、予め、具体的な日時を入力する方法、及び時間間隔を入力する方法が考えられる。例えば、１０年間の計画期間において、夏の任意の日時及び冬の任意の日時の系統構成を生成する場合、系統構成パターンには２０個の系統構成が含まれることになる。
【０１００】
系統構成生成部１０３は、系統構成推移情報１１３に含まれる各列を処理データとして記憶装置２０にコピーする（ステップＳ３０２）。
【０１０１】
次に、系統構成生成部１０３は、記憶装置２０にコピーされた処理データの中からターゲット処理データを選択する（ステップＳ３０３）。
【０１０２】
次に、系統構成生成部１０３は、ターゲット処理データの日時が日時ｔに対応する行に設定された系統構成をターゲット系統構成として選択する（ステップＳ３０４）。
【０１０３】
次に、系統構成生成部１０３は、ターゲット系統構成の変更方法を決定し、新規系統構成を生成する（ステップＳ３０５）。
【０１０４】
例えば、ターゲット系統構成に含まれる変圧器を廃止する変更方法の場合、系統構成生成部１０３は、ターゲット系統構成から変圧器を削除することによって新規系統構成を生成する。ターゲット系統構成に含まれる変圧器を代替設備に更新又は統合する変更方法の場合、系統構成生成部１０３は、系統母構成情報１１２を参照し、ターゲット系統構成に含まれる変圧器を新規変圧器に置き換えることによって新規系統構成を生成する。なお、代替設備を選択する場合、系統構成生成部１０３は、日時ｔ及び設備の変更時期に基づいて、変更前後の設備の稼働時間がオーバーラップするように代替設備を選択する。
【０１０５】
なお、設備が複数の場合、各設備の変更方法の組合せの数だけ新規系統構成が生成される。ただし、各新規系統構成が異なるように生成される。
【０１０６】
なお、前述した新規系統構成の生成方法は、一例であってこれに限定されない。
【０１０７】
次に、系統構成生成部１０３は、ターゲット処理データの日時（ｔ＋Ｔ）に対応する行に新規系統構成を設定することによって、新規系統構成パターンを生成する（ステップＳ３０６）。生成された新規系統構成が複数存在する場合、複数の新規系統構成パターンが生成される。
【０１０８】
次に、系統構成生成部１０３は、系統構成推移情報１１３に新規系統構成パターンを追加する（ステップＳ３０７）。
【０１０９】
具体的には、系統構成生成部１０３は、ターゲット処理データに対応する列を系統構成推移情報１１３から削除し、新規系統構成パターンに対応する列を追加する。当該処理は、ターゲット処理データに対応する列に、新規系統構成パターンに対応する列を上書きする処理である。
【０１１０】
次に、系統構成生成部１０３は、全てのターゲット処理データの処理が完了したか否かを判定する（ステップＳ３０８）。
【０１１１】
全てのターゲット処理データの処理が完了していないと判定された場合、系統構成生成部１０３は、ステップＳ３０３に戻る。
【０１１２】
全てのターゲット処理データの処理が完了したと判定された場合、系統構成生成部１０３は、日時ｔを更新する（ステップＳ３０９）。
【０１１３】
具体的には、系統構成生成部１０３は、日時ｔに時間Ｔを加算し、新たな日時に設定する。
【０１１４】
次に、系統構成生成部１０３は、日時ｔが計画期間の終点を経過するか否かを判定する（ステップＳ３１０）。
【０１１５】
日時ｔが計画期間の終点を経過しないと判定された場合、系統構成生成部１０３は、ステップＳ３０２に戻る。
【０１１６】
日時ｔが計画期間の終点を経過すると判定された場合、系統構成生成部１０３は、処理を終了する。このとき、系統構成生成部１０３は、系統構成推移情報１１３の各列に判定結果及び演算結果の行を追加する。また、系統構成生成部１０３は、必要に応じて系統構成推移情報１１３の列を入れ替える。
【０１１７】
図１１Ａ及び図１１Ｂは、実施例１の系統設備管理計画装置１が実行する設備管理計画生成処理の一例を説明するフローチャートある。図１２は、実施例１の系統設備管理計画装置１によって表示される画面の一例を示す図である。
【０１１８】
設備管理計画生成処理は、事前評価処理が完了した後に開始される。
【０１１９】
系統構成生成部１０３は、系統構成推移情報１１３を参照し、各列の判定結果の行の値が「ｔｒｕｅ」である系統構成パターンの中からターゲット系統構成パターンを選択する（ステップＳ４０１）。
【０１２０】
次に、系統構成生成部１０３は、ターゲット系統構成パターンに含まれる系統構成の中からターゲット系統構成を選択する（ステップＳ４０２）。ここでは、時系列順に系統構成が選択されるものとする。
【０１２１】
次に、情報取得部１０１は、運用予測情報１１４から、ターゲット系統構成に基づいて運用される期間のある時点における、ターゲット系統構成に含まれる発電機の発電量及び負荷の負荷量を取得する（ステップＳ４０３）。
【０１２２】
次に、最適潮流計算部１０５は、ターゲット系統構成の情報、発電量、及び負荷量に基づいて、最適潮流計算を実行する（ステップＳ４０４）。最適潮流計算は公知の技術であるため詳細な説明は省略する。
【０１２３】
次に、最適潮流計算部１０５は、最適潮流計算の演算が収束したか否かを判定する（ステップＳ４０５）。
【０１２４】
最適潮流計算の演算が収束していないと判定された場合、最適潮流計算部１０５は、系統構成推移情報１１３を更新し（ステップＳ４０７）、ステップＳ４１０に進む。
【０１２５】
具体的には、最適潮流計算部１０５は、系統構成推移情報１１３を参照し、ターゲット系統構成パターンに対応する列の演算結果の行に「ｆａｕｌｔ」を設定する。
【０１２６】
最適潮流計算の演算が収束したと判定された場合、最適潮流計算部１０５は、設備操作情報１１５に、演算結果として出力される設備の操作に関する情報を保存する（ステップＳ４０６）。
【０１２７】
次に、系統構成生成部１０３は、ターゲット系統構成パターンに含まれる全ての系統構成の処理が完了したか否かを判定する（ステップＳ４０８）。
【０１２８】
ターゲット系統構成パターンに含まれる全ての系統構成の処理が完了していないと判定された場合、最適潮流計算部１０５は、ステップＳ４０２に戻る。
【０１２９】
ターゲット系統構成パターンに含まれる全ての系統構成の処理が完了したと判定された場合、最適潮流計算部１０５は、系統構成推移情報１１３を更新する（ステップＳ４０９）。
【０１３０】
具体的には、最適潮流計算部１０５は、系統構成推移情報１１３を参照し、ターゲット系統構成パターンに対応する列の演算結果の行に「ｔｒｕｅ」を設定する。
【０１３１】
次に、評価部１０７は、系統構成推移情報１１３を参照し、演算結果の行の値が「ｔｒ
ｕｅ」である系統構成パターンの中からターゲット系統構成パターンを選択する（ステップＳ４１０）。
【０１３２】
本実施例では、判定結果の行及び演算結果の行の値が「ｔｒｕｅ」である系統構成パターンが、運用者に提示する設備管理計画情報となる。
【０１３３】
次に、系統構成差分抽出部１０６は、現在の系統構成及びターゲット系統構成パターンに含まれる各系統構成の設備単位の差分を抽出する（ステップＳ４１１）。
【０１３４】
次に、評価部１０７は、抽出された差分に基づいて、ターゲット系統構成に含まれる系統構成について、現在の系統構成からターゲット系統構成に含まれる系統構成に変更する場合に生じるコストを算出する（ステップＳ４１２）。このとき、評価部１０７は、各系統構成のコストの合計値をターゲット系統構成パターンのコストとして算出する。評価部１０７は、系統構成パターンのコストを記憶装置２０に保存する。
【０１３５】
コストの算出方法は、金額、作業量、人数、及び作業時間等を変数とする数式を用いて算出する方法が考えられる。なお、本実施例は、コストの算出方法に限定されない。
【０１３６】
次に、評価部１０７は、ターゲット系統構成に含まれる系統構成について、設備操作に関する評価を行う（ステップＳ４１３）。
【０１３７】
具体的には、評価部１０７は、設備操作情報１１５からターゲット系統構成に含まれる系統構成の設備操作に関する情報を取得する。評価部１０７は、取得した情報に基づいて、各系統構成の設備操作に関する評価を行う。例えば、評価部１０７は、操作回数、操作によって変更するパラメータの変更量等を評価する。評価部１０７は、評価結果を記憶装置２０に保存する。なお、評価部１０７は評価結果をスコアに換算してもよい。
【０１３８】
次に、評価部１０７は、演算結果の行の値が「ｔｒｕｅ」である全ての系統構成パターンの処理が完了したか否かを判定する（ステップＳ４１４）。
【０１３９】
演算結果の行の値が「ｔｒｕｅ」である全ての系統構成パターンの処理が完了していないと判定された場合、評価部１０７は、ステップＳ４１０に戻る。
【０１４０】
演算結果の行の値が「ｔｒｕｅ」である全ての系統構成パターンの処理が完了したと判定された場合、評価部１０７は、演算結果の行の値が「ｔｒｕｅ」である系統構成パターンを設備管理計画情報として表示するための表示情報を生成する（ステップＳ４１５）。その後、評価部１０７は、設備管理計画生成処理を終了する。
【０１４１】
本実施例の表示装置５０には、表示情報に基づいて図１２に示すような画面１２００が表示される。ここで、画面１２００について説明する。
【０１４２】
画面１２００は、指標入力欄１２１０、系統構成パターンリスト欄１２２０、及び系統構成表示欄１２３０を含む。
【０１４３】
指標入力欄１２１０は、系統構成パターンを選択するための指標を入力する欄である。本実施例の指標入力欄１２１０には「コスト」又は「評価」のいずれかが入力される。
【０１４４】
指標入力欄１２１０に「コスト」が入力された場合、演算装置１０は、系統構成パターンのコストに基づいて推奨順位を決定し、推奨順位が高い系統構成パターンを所定の数だけ選択する。指標入力欄１２１０に「評価」が入力された場合、演算装置１０は、系統構成パターンの評価結果に基づいて推奨順位を決定し、推奨順位が高い系統構成パターンを所定の数だけ選択する。
【０１４５】
なお、選択する系統構成パターンの数は予め設定されており、適宜変更することができる。なお、推奨順位は運用者に推奨する系統構成パターンの順番を示す。
【０１４６】
系統構成パターンリスト欄１２２０は、評価部１０７によって選択された系統構成パターンのリストを表示する欄である。系統構成パターンリスト欄１２２０は、順位１２２１及び系統構成パターンＩＤ１２２２から構成されるエントリを含む。一つのエントリが一つの系統構成パターンに対応する。順位１２２１は、系統構成パターンの推奨順位を格納するフィールドである。本実施例では、推奨順位が高い順にエントリがソートされる。系統構成パターンＩＤ１２２２は、系統構成パターンの識別番号を格納するフィールドである。系統構成パターンＩＤ１２２２には、系統構成推移情報１１３における列の番号が格納される。
【０１４７】
運用者はカーソル等を用いて確認又は適用する系統構成パターンを選択する。図１２では、順位１２２１が「１」のエントリが選択された状態を示す。
【０１４８】
系統構成表示欄１２３０は、運用者によって選択された系統構成パターンに含まれる系統構成を表示するための欄である。系統構成表示欄１２３０には、現在から計画期間の終点までの系統構成が時系列順に表示される。
【０１４９】
なお、評価部１０７はコストを算出する処理及び設備操作に関する評価を行う処理を実行したが、いずれか一方の処理のみを実行してもよい。
【０１５０】
＜具体例＞
次に、具体例を用いて系統設備管理計画システムの一連の処理の流れを説明する。
【０１５１】
系統設備管理計画装置１は、設備情報管理装置３及び経営資源情報管理装置４から設備情報及び経営資源情報を取得し（ステップＳ１０１）、入力装置４０を用いて入力された変更計画情報を取得する（ステップＳ１０２）。
【０１５２】
系統設備管理計画装置１は、系統構成情報１１１、設備情報、経営資源情報、及び変更計画情報に基づいて、計画期間における系統母構成を生成し、系統母構成の情報を系統母構成情報１１２として記憶装置２０に記録する（ステップＳ１０３）。
【０１５３】
系統設備管理計画装置１は、系統母構成情報１１２を用いて、計画期間における系統構成パターンを生成し、系統構成推移情報１１３に記録する（ステップＳ１０４）。
【０１５４】
系統設備管理計画装置１は、ターゲット系統構成パターンを選択し（ステップＳ１０５）、ターゲット系統構成パターンに含まれる各系統構成が判定基準を満たしているか否かを判定する（ステップＳ１０６）。
【０１５５】
系統設備管理計画装置１は、全ての系統構成が判定基準を満たしている系統構成パターンの中からターゲット系統構成パターンを選択し（ステップＳ４０１）、ターゲット系統構成パターンに含まれる系統構成に対して最適潮流計算を実行する（ステップＳ４０４）。最適潮流計算が収束した場合、系統設備管理計画装置１は、設備操作情報１１５に演算結果を保存する（ステップＳ４０６）。
【０１５６】
系統設備管理計画装置１は、系統構成の最適潮流計算が正常に終了した系統構成パターンを提示対象の系統構成パターンとして記憶装置２０に記録する（ステップＳ４０９）。すなわち、電力供給に問題が生じない系統構成パターンとして記録される。
【０１５７】
一方、系統設備管理計画装置１は、少なくとも一つの系統構成の最適潮流計算が正常に終了していない系統構成パターンを非提示対象の系統構成パターンとして記録する（ステップＳ４０７）。
【０１５８】
系統設備管理計画装置１は、推奨順位を決定するための指標として、提示対象として設定された系統構成パターンのコストを算出し（ステップＳ４１２）、また、当該系統構成パターンの設備操作の評価を行う（ステップＳ４１３）。
【０１５９】
系統設備管理計画装置１は、コスト等の指標に基づいて、運用者に対して電力供給に問題が生じない系統構成パターンを設備管理計画情報として提示する（ステップＳ４１５）。
【０１６０】
なお、系統設備管理計画装置１は、設備情報及び経営資源情報を取得しなくてもよい。代替設備を決定する場合、系統設備管理計画装置１は、ターゲット設備の種別に基づいて代替設備を選択する方法が考えられる。代替設備の変更時期を決定する場合、系統設備管理計画装置１は、変更計画情報に基づいて変更時期を決定する方法が考えられる。
【０１６１】
なお、系統設備管理計画装置１は、ステップＳ１０７の判定結果がＹＥＳの場合、ステップＳ４１２の処理を実行してもよい。これによって、系統設備管理計画装置１の演算量を削減しつつ、有効な系統構成パターンを設備管理計画情報として提示できる。
【０１６２】
なお、系統設備管理計画装置１は、最適潮流計算の演算が複数回連続で収束しない場合に、ステップＳ４０５の処理結果をＮＯとするような判定を行ってもよい。これによって、可能な限り多くの系統構成パターンを提示できる。
【０１６３】
以上で説明したように、系統設備管理計画装置１は、系統母構成に基づいて、計画期間における系統構成の組合せを系統構成パターンとして生成できる。すなわち、計画期間において実現可能な系統構成の組合せが効率的に生成される。また、系統設備管理計画装置１は、系統構成パターンに含まれる系統構成に対して、判定処理及び最適潮流計算を実行することによって、運用者の要求を満たし、かつ、運用可能な系統構成パターンを特定できる。また、系統設備管理計画装置１は、系統構成パターンのコスト及び評価結果に基づいて推奨順位が付与された系統構成パターンを設備管理計画情報として提示することができる。
【０１６４】
なお、本発明は上記した実施例に限定されるものではなく、様々な変形例が含まれる。また、例えば、上記した実施例は本発明を分かりやすく説明するために構成を詳細に説明したものであり、必ずしも説明した全ての構成を備えるものに限定されるものではない。また、各実施例の構成の一部について、他の構成に追加、削除、置換することが可能である。
【０１６５】
また、上記の各構成、機能、処理部、処理手段等は、それらの一部又は全部を、例えば集積回路で設計する等によりハードウェアで実現してもよい。また、本発明は、実施例の機能を実現するソフトウェアのプログラムコードによっても実現できる。この場合、プログラムコードを記録した記憶媒体をコンピュータに提供し、そのコンピュータが備えるプロセッサが記憶媒体に格納されたプログラムコードを読み出す。この場合、記憶媒体から読み出されたプログラムコード自体が前述した実施例の機能を実現することになり、そのプログラムコード自体、及びそれを記憶した記憶媒体は本発明を構成することになる。このようなプログラムコードを供給するための記憶媒体としては、例えば、フレキシブルディスク、ＣＤ−ＲＯＭ、ＤＶＤ−ＲＯＭ、ハードディスク、ＳＳＤ（Ｓｏｌｉｄ  Ｓｔａｔｅ  Ｄｒｉｖｅ）、光ディスク、光磁気ディスク、ＣＤ−Ｒ、磁気テープ、不揮発性のメモリカード、ＲＯＭなどが用いられる。
【０１６６】
また、本実施例に記載の機能を実現するプログラムコードは、例えば、アセンブラ、Ｃ／Ｃ＋＋、ｐｅｒｌ、Ｓｈｅｌｌ、ＰＨＰ、Ｊａｖａ（登録商標）等の広範囲のプログラム又はスクリプト言語で実装できる。
【０１６７】
さらに、実施例の機能を実現するソフトウェアのプログラムコードを、ネットワークを介して配信することによって、それをコンピュータのハードディスクやメモリ等の記憶手段又はＣＤ−ＲＷ、ＣＤ−Ｒ等の記憶媒体に格納し、コンピュータが備えるプロセッサが当該記憶手段や当該記憶媒体に格納されたプログラムコードを読み出して実行するようにしてもよい。
【０１６８】
上述の実施例において、制御線や情報線は、説明上必要と考えられるものを示しており、製品上必ずしも全ての制御線や情報線を示しているとは限らない。全ての構成が相互に接続されていてもよい。
【符号の説明】
【０１６９】
１  系統設備管理計画装置
２  通信ネットワーク
３  設備情報管理装置
４  経営資源情報管理装置
１０  演算装置
２０  記憶装置
３０  通信装置
４０  入力装置
５０  表示装置
１０１  情報取得部
１０２  系統母構成生成部
１０３  系統構成生成部
１０４  系統構成判定部
１０５  最適潮流計算部
１０６  系統構成差分抽出部
１０７  評価部
１１１  系統構成情報
１１２  系統母構成情報
１１３  系統構成推移情報
１１４  運用予測情報
１１５  設備操作情報
１２００  画面
１２１０  指標入力欄
１２２０  系統構成パターンリスト欄
１２３０  系統構成表示欄
【図１】
2019154113.tif 000003
【図２】
2019154113.tif 000004
【図３】
2019154113.tif 000005
【図４】
2019154113.tif 000006
【図５】
2019154113.tif 000007
【図６】
2019154113.tif 000008
【図７】
2019154113.tif 000009
【図８】
2019154113.tif 000010
【図９】
2019154113.tif 000011
【図１０】
2019154113.tif 000012
【図１１Ａ】
2019154113.tif 000013
【図１１Ｂ】
2019154113.tif 000014
【図１２】
2019154113.tif 000015